(57)【要約】    【課題】      ユーザが誤って開閉検出のための受光部を覆ってしまうことにより、不用意に表示部などの電源を切断し、表示が見えなくなることを防止し、さらに部品の増加や実装面積の増加なども少ないセンサ付き携帯端末機を提供すること。    【解決手段】  第１筐体１４と第２筐体１６とをひんじ部１２で回動可能に連結して携帯端末機１０を構成する。第１筐体１４と第２筐体１６とが対面し、第１筐体１４に設けられた表示部２２の発光部２０ａからの光１８が、第２筐体１６の反射部材２６で反射され、複数個設けられた受光部２０の所定個数以上で受光されると、携帯端末機１０が閉状態であると制御部２４が検出する。  【選択図】      図１
2006211019.tif 000002
【特許請求の範囲】
【請求項１】
表示部と、
この表示部に対面し前記表示部を覆って前記表示部を閉状態とすることが可能な対面部と、
前記表示部に設けられる発光部と、
前記表示部の表示面と同一面上に配列され、前記発光部の光の前記対面部による反射光を検出するため複数の光センサと、
前記複数の光センサのうち所定の光センサが受光有りを検出すると閉状態にあると判別する制御手段と、を具備する携帯端末機。
【請求項２】
前記複数の光センサのうち離散的位置にある所定の光センサが受光有りを検出すると前記制御手段は前記表示部が閉状態にあると判別する請求項１記載の携帯端末機。
【請求項３】
前記複数の光センサは、前記表示部の外周部に配置される請求項１又は請求項２記載の携帯端末機。
【請求項４】
前記表示部は、複数の表示画素を集積配列して構成され、前記光センサは、前記表示部の表示画素と各々隣接して集積配列される請求項１から請求項３のいずれかに記載の携帯端末機。
【請求項５】
前記表示部の前記表示画素は、ＴＦＴ液晶素子で構成され、前記光センサはフォトダイオードもしくはフォトトランジスタで構成される請求項４記載の携帯端末機。
【請求項６】
前記発光部は、前記表示部の背面部に配置され、前記表示部前面部に向けて投光する請求項１から請求項５のいずれかに記載の携帯端末機。
【請求項７】
ＥＬ素子で前記表示部と前記発光部とが一体に構成される請求項１から請求項６のいずれかに記載の携帯端末機。
【発明の詳細な説明】
【技術分野】
【０００１】
本発明は、携帯端末機に関する。
【背景技術】
【０００２】
従来の携帯端末機として、例えば、特許文献１に記載されているものがある。図７は特許文献１に記載された従来の携帯端末機１０を示す図である。図７（ａ）は携帯端末機１０の開状態を示し、図７（ｂ）は携帯端末機１０の閉状態を示す。なお、本明細書において、開状態とは、表示部が覆われておらず、ユーザが表示部を目視可能な状態をいう。
【０００３】
この携帯端末機１０は、折り畳み機構であるひんじ部１２と、このひんじ部１２により回動自在に連結される第１筐体１４および第２筐体１６を有し、さらに携帯端末機１０の開閉状態を検出するために光１８を発光する発光部２０ａと、図７（ｂ）に示す閉状態において光１８が第１筐体１４に配置された反射部材２６で反射されると受光する受光部２０ｂと、発光部２０ａおよび受光部２０ｂを制御するとともに携帯端末機１０の開閉状態を判断する制御部２４とを有している。ここで、発光部２０ａと受光部２０ｂを近傍にして配置することにより、携帯端末機１０の小型化、軽量化を図っている。この様な構成によれば、携帯端末機１０の開閉状態を受光部２０ｂの受光の有無によって検出することができる。利用者が掲端末機１０の使用を希望してしない状態、すなわち図７（ｂ）に示すような閉状態おいて使用の必要ない表示部２２（本図中は省略）などの機能部への給電を停止して消費電力の低減を図っている。
【０００４】
また、この種の携帯端末機としては、例えば、特許文献２に記載されているようなものがあった。図８は特許文献２に記載された従来の携帯端末機１０を示している。図８においては、携帯端末機１０の操作面上には、例えば液晶パネルによる表示部２２が形成される。表示部２２は携帯端末機１０の筐体上で比較的大型に形成されたり、あるいはカラー液晶パネルが用いられることで、高度かつ多様な画面表示を実行可能とされる。例えば表示部２２には、操作メニュー、発呼する電話番号、着信した電話番号や相手の名称、電波受信状況、電子メールテキスト、サービスメニュー、受信可能なデータサービスの文字や画像、キャラクタ画像、スクリーンセーバ画面などが表示可能である。なお、液晶パネルとしての表示部２２の例えば背面部下部にはバックライト２２ａが配され、表示部２２の表示領域全体に表示または、照明のための光が導かれる。スピーカ２８、マイクロホン３０は、通話時の音声の入出力部位となる。また、スピーカ２８の近傍には、反射型センサ２０が配置され、反射体の有無を検知する。反射型センサ２０は、例えば特許文献１に記載された発光部２０ａ、受光部２０ｂを有するユニットとされる。
【特許文献１】特開２００１―２２４７２号公報（第６頁、第１図）
【特許文献２】特開２００１―３５２３９５号公報（第６頁、第１図）
【発明の開示】
【発明が解決しようとする課題】
【０００５】
しかしながら、前記従来の構成では、例えばユーザが不注意に反射型センサ２０を覆ってしまうことにより、携帯端末機１０は閉状態にあると誤って判定し、表示部２２などの電源を切断し、表示が見えなくなる場合がある。
【０００６】
また、開閉状態を検出するために、反射型センサ２０として発光部２０ａおよび受光部２０ｂの対として別途設ける必要があり、部品の増加や実装面積の減少を招来するものとなっている。
【０００７】
本発明は、上記課題を解決するために、ユーザが不注意に開閉センサを覆っても、表示部などの電源を切断し、表示が見えなくなることを防止し、さらに部品の増加や実装面積の増加なども少ない携帯端末機を提供することを目的とする。
【課題を解決するための手段】
【０００８】
かかる課題を解決するため、本発明の携帯端末機は、表示部と、この表示部に対面し前記表示部を覆って前記表示部を閉状態とすることが可能な対面部と、前記表示部に設けられる発光部と、前記表示部の表示面と同一面上に配列され、前記発光部の光の前記対面部による反射光を検出するため複数の光センサと、前記複数の光センサのうち所定の光センサが受光有りを検出すると閉状態にあると判別する制御手段と、を具備する構成を採る。
【発明の効果】
【０００９】
本発明によれば、複数の光センサを有することでユーザが表示部を覆ってしまうことにより、不用意に表示部などの電源を切断し、表示が見えなくなることを防止することができる。さらに、各光センサは表示部用の発光部からの光を受光して閉状態の検出を行うので、発光部を兼用的に利用でき、従来のような独立した新たな発光部が不要となり、光センサの複数化に伴う実装面積の増加や消費電流の増加を最小限に抑制することができる。
【発明を実施するための最良の形態】
【００１０】
以下に、本発明の実施の形態について、図面を参照しながら説明する。
【００１１】
（実施の形態１）
図１は、本発明の実施の形態１における携帯端末機１０の構成図である。また、図１（ａ）は携帯端末機１０が折り畳み構造である場合の開状態の側面図であり、図１（ｂ）は携帯端末機１０が折り畳み構造である場合の開状態の第１筐体１４の正面図である。
【００１２】
本実施の形態では、図１（ａ）に示す通り、折り畳み構造を有する携帯端末機１０は、折り畳み構造であるひんじ部１２により回動自在に連結される第１筐体１４および第２筐体１６を有している。第１筐体１４は、図１（ｂ）に示すように、操作メニュー、発呼する電話番号、着信した電話番号や相手の名称、電波受信状況、電子メールテキスト、サービスメニュー、受信可能なデータサービスの文字や画像、キャラクタ画像、スクリーンセーバ画面などが表示可能な表示部２２と、携帯端末機１０の開閉状態を検出するために、光１８を発光するための発光部２０ａと、その光１８を受光する複数の受光部２０ｂとを有している。ここで、発光部２０ａは、表示部２２の光源を兼用し、例えば表示部２２が透過型ＬＣＤの場合のバックライト２２ａが発光部２０ａであり、例えば表示部２２が自発光素子であるＥＬ（Ｅｌｅｃｔｒｏ−Ｌｕｍｉｎｅｓｃｅｎｃｅ）の場合、ＥＬそのものが発光部２０ａである。複数の受光部２０ｂは、フォトダイオード、フォトトランジスタなどの発光部２０ａの光を検知できる受光素子で構成される。また、発光部２０ａと複数の受光部２０ｂとは、表示部２２と同一面上に配置され、これら発光部２０ａ、複数の受光部２０ｂ、表示部２２は、図１（ｂ）に示すように第１筐体１４の正面を形成する。
【００１３】
一方、図１（ａ）に示すように、発光部２０ａからの光１８を反射する反射部材２６は第２筐体１６の正面側に配置されている。
【００１４】
このように構成されることによって、第１筐体１４が、図１（ａ）の位置から時計回りに回動し、第１筐体１４および第２筐体１６の各正面が対向する状態になると、携帯端末機１０は閉状態となる。
【００１５】
この携帯端末機１０の閉状態は、発光部２０ａからの光１８が反射する反射部材２６で反射され受光部２０ｂで受光されることにより検出される。このため発光部２０ａおよび複数の受光部２０ｂを制御するとともに携帯端末機１０の開閉状態を判断する制御部２４は、図１（ａ）に示すように、第１筐体１４に内蔵されている。なお、制御部２４は第２筐体１６に内蔵されていても構わない。
【００１６】
なお、発光部２０ａから発光される光１８の発光量は、制御部２４により調整可能とすることができる。特に、表示部２２の視認性向上のため、ユーザ自ら発光量を調整することができ、ユーザにより発光量を低く抑えられた場合、複数の受光部２０ｂに対する、例えば感度を上げるとか、閾値を下げるといった制御も制御部２４で連動して行うことができる。また発光量は周期的に変動することも可能とする。例えば開状態でユーザが一定時間操作を行わない場合、消費電力を抑制するために輝度を落とし、開閉検出時のみ発光量を増加させることで、消費電力の効率化を図ることができる。
【００１７】
また、図１（ｂ）に示す通り、発光部２０ａを有する表示部２２の上下に、受光部２０ｂを有している。なお、図１（ｂ）では受光部２０ｂを表示部２２の上下に有した構成になっているが、左右に有することもできる。また、図１（ｂ）では受光部２０ｂを表示部２２の上下に有した構成になっているが、上下の片方に複数有することもできる。同様に、左右の片方に複数有することもできる。すなわち、発光部２０ａから発光された光１８が反射して受光できるよう、表示部２２の周囲の所定位置に配置することができる。
【００１８】
例えば、ひんじ部に発光部２０ａから発光される光１８の発光量を調整するためのスイッチ類を配置する場合があり、この場合、受光部２０ｂが前記スイッチ類のそばに配置されると、発光量を調整するためのスイッチ類を操作する際、誤って図１（ｂ）の表示部２２の下側にある受光部２０ｂを覆ってしまう場合がある。その様な場合、表示部２２の上側だけ、あるいは左右に受光部２０ｂを配置することで、誤って受光部２０ｂを覆ってしまうことを低減できる。この様に受光部２０ｂの位置、個数は筐体形状、使用環境により最適化する必要がある。以下の説明では、発光部２０ａを有する表示部２２の上下に、受光部２０ｂを有している場合について説明する。
【００１９】
次に、本発明の実施の形態１の動作について、図２を参照して説明する。図２は、本発明の実施の形態１の動作を示す流れ図である。図２に示す様に、まず、携帯端末機１０の電源がＯＮになると（ステップＳ１０）、制御部２４は発光部２０ａから光１８を発光させ、表示部２２を表示させる（ステップＳ１２）。これを受けて光１８が、発光部２０ａに対向した部材に到達して反射され、複数の受光部２０ｂに到達し、全ての受光部２０ｂが受光したかが判断される（ステップＳ１４）。複数の受光部２０ｂは受光信号を制御部２４に送信し、制御部２４において、全ての受光部２０ｂからの受光信号を受信すると（ステップＳ１４：ＹＥＳ）、携帯端末機１０は閉状態であると判断される（ステップＳ１６）。一方、その光１８が、発光部２０ａに対向した部分に到達しないか、到達して反射されても複数の受光部２０ｂに到達しない場合は（ステップＳ１４：ＮＯ）、複数の受光部２０ｂから受光信号が出力されないため、制御部２４においては全ての受光部２０ｂの受光信号を受信されない。このことから、制御部２４は、携帯端末機１０は開状態であると判断する（ステップＳ１８）。
【００２０】
このように、発光部２０ａおよび受光部２０ｂを備えることにより、確実に携帯端末機１０の開閉状態を検出することができる。そして、制御部２４における開または閉状態の判断結果を、携帯端末機１０の他の機能へ伝達することにより、その判断結果にもとづいて一部もしくは大部分の機能に対する給電を抑制するなど、携帯端末機１０の消費電力の効率化を図ることができる。
【００２１】
なお、制御部２４において、全ての受光部２０ｂの信号を受信した結果、携帯端末機１０は閉状態であると判断される（ステップＳ１６）場合以外に、筐体の形状を考慮し、全ての受光部２０ｂのうち、例えば９割の信号が受信できた結果、携帯端末機１０は閉状態であると判断する多数決判定による方法や、全ての受光部２０ｂのうち例えば最低四隅といった特定位置の受光部２０ｂの信号を受信した結果、携帯端末機１０は閉状態であると判断するパターン認識による方法を使用してもよい。
【００２２】
なお、この実施の形態１においては、図１に示すように、第１筐体１４に表示部２２と表示部２２のための発光部２０ａ、および複数の受光部２０ｂを配置し、第２筐体１６の筐体の一部を反射部材２６として構成としてあるが、これらを逆にしてもよい。すなわち表示部２２と表示部２２のための発光部２０ａ、および複数の受光部２０ｂを第２筐体１６側に配置し、第１筐体１４の一部もしくは全部を反射部材２６に該当するようにしてもよい。
【００２３】
（実施の形態２）
図３は、本発明の実施の形態２に係る携帯端末機１０の構成図である。図３（ａ）は携帯端末機１０がスライド構造である場合の開状態の図であり、図３（ｂ）は携帯端末機１０がスライド構造により一部が閉状態とされた場合の図である。特に図３（ｂ）の場合、第２筐体１６により、表示部２２のうち半分の表示部２２−１のみ視認できる例を示しているが、図３（ｂ）の状態を閉状態に至るまでの途中過程とし、第１筐体１４と第２筐体１６とを完全に重ねてしまう構成とすることもできる。また、第１筐体１４と第２筐体１６とを完全に重ねたとき、第２筐体１６に空けた穴により、表示部２２−１のみ視認できるようにすることができる。このようにすれば、第１筐体１４と第２筐体１６とを完全に重ねた場合も、図３（ｂ）の状態と同一にすることができる。
【００２４】
本実施の形態２では、図３（ａ）に示す通り、携帯端末機１０の開閉状態を検出するために、例えばバックライトであるところの左側の発光部２０ａ１と右側の発光部２０ａ２が、実施の形態１と同様に左側の表示部２２−１と右側の表示部２２−２の光源と兼用している。発光部２０ａ１および発光部２０ａ２からの光を受光する複数の受光部２０ｂは、左側に受光部２０ｂ１、２０ｂ２、２０ｂ３、２０ｂ４、２０ｂ５、２０ｂ６、２０ｂ７、２０ｂ８が配置され、右側に受光部２０ｂ９、２０ｂ１０、２０ｂ１１、２０ｂ１２、２０ｂ１３、２０ｂ１４、２０ｂ１５、２０ｂ１６が配置されている。なお、図３（ａ）（ｂ）中では省略しているが、実施の形態１と同様に、発光部２０ａ１および発光部２０ａ２、複数の受光部２０ｂを制御するとともに携帯端末機１０の開閉状態を判断する制御部２４を有している。また、実施の形態１同様、表示部２２−１、２２−２と同一面上に配置されたこれらの発光部２０ａ１、２０ａ２、受光部２０ｂは、第１筐体１４または第２筐体１６のどちらか一方に有し、表示部２２−１、２２−２を有しない一方は、本図中は省略しているが、実施の形態１同様、光を反射する反射部材２６を有する。なお、図３は、第１筐体１４に表示部２２−１、２２−２、発光部２０ａ１、２０ａ２、複数の受光部２０ｂ、第２筐体１６の筐体自体が反射部材２６を有する構成として説明したが、これらを逆に配置することもできる。
【００２５】
次に、本発明の実施の形態２の動作について、図４を参照して説明する。図４は、本発明の実施の形態２の動作を示す流れ図である。同図に示す様に、まず、携帯端末機１０の電源がＯＮになると（ステップＳ２０）、制御部２４は発光部２０ａ１、２０ａ２をバックライトとして機能させて発光させ、表示部２２−１、２２−２を表示させる（ステップＳ２２）。その光が、発光部２０ａ１に対向した部材に到達して反射され、複数の受光部２０ｂ１、２０ｂ２、２０ｂ３、２０ｂ４、２０ｂ５、２０ｂ６、２０ｂ７、２０ｂ８に到達したしたかが判断され（ステップＳ２４）、複数の受光部２０ｂ１、２０ｂ２、２０ｂ３、２０ｂ４、２０ｂ５、２０ｂ６、２０ｂ７、２０ｂ８が受光していると（ステップＳ２４：ＹＥＳ）、受光信号を制御部２４に送信し、制御部２４において、左側全ての受光部２０ｂ１、２０ｂ２、２０ｂ３、２０ｂ４、２０ｂ５、２０ｂ６、２０ｂ７、２０ｂ８の信号を受信した結果、携帯端末機１０の左側は閉状態であると判断される（ステップＳ２６）。この場合、図３（ｂ）の状態を閉状態に至るまでの途中過程とし、第１筐体１４と第２筐体１６とを完全に重ねてしまった状態、もしくはユーザが表示部２２−１全体にシール等の反射物を貼った状態となる。
【００２６】
一方、発光部２０ａ１からの光が、対向した部分に到達しないか、到達して反射されても複数の受光部２０ｂ１、２０ｂ２、２０ｂ３、２０ｂ４、２０ｂ５、２０ｂ６、２０ｂ７、２０ｂ８に到達しない場合は（ステップＳ２４：ＮＯ）、複数の受光部２０ｂ１、２０ｂ２、２０ｂ３、２０ｂ４、２０ｂ５、２０ｂ６、２０ｂ７、２０ｂ８から受光信号が出力されないため、制御部２４においては左側全ての受光部２０ｂ１、２０ｂ２、２０ｂ３、２０ｂ４、２０ｂ５、２０ｂ６、２０ｂ７、２０ｂ８の受光信号を受信されない。このことから、制御部２４は、携帯端末機１０は少なくとも左側が開状態であると判断する（ステップＳ２８）。
【００２７】
同様に、発光部２０ａ２に対向した部材に到達して反射され、右側の複数の受光部２０ｂ９、２０ｂ１０、２０ｂ１１、２０ｂ１２、２０ｂ１３、２０ｂ１４、２０ｂ１５、２０ｂ１６に到達したがどうかが判断される（ステップＳ３０）。この際複数の受光部２０ｂ９、２０ｂ１０、２０ｂ１１、２０ｂ１２、２０ｂ１３、２０ｂ１４、２０ｂ１５、２０ｂ１６は受光信号を制御部２４に送信し、制御部２４において、右側全ての受光部２０ｂ９、２０ｂ１０、２０ｂ１１、２０ｂ１２、２０ｂ１３、２０ｂ１４、２０ｂ１５、２０ｂ１６の信号を受信すると、その結果（ステップＳ３０：ＹＥＳ）、携帯端末機１０の右側は閉状態であると判断される（ステップＳ３２）。この場合、図３（ｂ）の状態、もしくはユーザが表示部２２−２全体にシール等の反射物を貼った状態となる。
【００２８】
一方、発光部２０ａ２からの光が、対向した部分に到達しないか、到達して反射されても複数の受光部２０ｂ９、２０ｂ１０、２０ｂ１１、２０ｂ１２、２０ｂ１３、２０ｂ１４、２０ｂ１５、２０ｂ１６に到達しない場合は（ステップＳ３０：ＮＯ）、右側の複数の受光部２０ｂ９、２０ｂ１０、２０ｂ１１、２０ｂ１２、２０ｂ１３、２０ｂ１４、２０ｂ１５、２０ｂ１６から受光信号が出力されないため、制御部２４においては右側全ての受光部２０ｂ９、２０ｂ１０、２０ｂ１１、２０ｂ１２、２０ｂ１３、２０ｂ１４、２０ｂ１５、２０ｂ１６の受光信号を受信されない。このことから、制御部２４は、携帯端末機１０は少なくとも右側が開状態であると判断する（ステップＳ３４）。
【００２９】
このように、発光部２０ａ１、２０ａ２および受光部２０ｂを備えることにより、確実に携帯端末機１０の開閉状態を検出することができる。そして、制御部２４における開または閉状態の判断結果を、携帯端末機１０の他の機能へ伝達することにより、その判断結果にもとづいて各機能における消費電力の効率化を図ることができる。
【００３０】
なお、制御部２４において、左側全ての受光部２０ｂ１、２０ｂ２、２０ｂ３、２０ｂ４、２０ｂ５、２０ｂ６、２０ｂ７、２０ｂ８の信号を受信した結果、携帯端末機１０の左側は閉状態であると判断される（ステップＳ２６）場合以外に、筐体の形状を考慮し、左側全ての受光部２０ｂ１、２０ｂ２、２０ｂ３、２０ｂ４、２０ｂ５、２０ｂ６、２０ｂ７、２０ｂ８の８個のうち、例えば９割相当を示す７個の信号を受信した結果、携帯端末機１０は閉状態であると閉状態であると判断する多数決判定による方法や、左側全ての受光部２０ｂ１、２０ｂ２、２０ｂ３、２０ｂ４、２０ｂ５、２０ｂ６、２０ｂ７、２０ｂ８のうち、例えば四隅の２０ｂ１、２０ｂ２、２０ｂ７、２０ｂ８と四隅以外の２０ｂ３の５個といった特定の受光部２０ｂ１、２０ｂ２、２０ｂ３、２０ｂ７、２０ｂ８から信号を受信した結果、携帯端末機１０は閉状態であると判断するパターン認識による方法を使用してもよい。また、携帯端末機１０の右側は閉状態であると判断される（ステップＳ３２）においても、前記で示したような多数決判定による方法、パターン認識による方法を使用してもよい。
【００３１】
（実施の形態３）
図５は、本発明の実施の形態３に係る携帯端末機１０の表示部２２を中心とする部分構成図である。図５（ａ）は携帯端末機１０の表示部を正面から見た場合の表示部の図であり、図５（ｂ）は携帯端末機１０の表示部のある１画素と受光部の構成例を示す図である。特に図５（ｂ）の場合、バックライト２２ａを形成する発光部２０ａと、例えばＴＦＴ液晶により表示部２２で構成された場合の１画素を示し、ガラス上にトランジスタによる画素セル３２が構成されている。また、この画素セル３２と対としてフォトダイオード、フォトトランジスタなどの受光部２０ｂが発光部２０ａの光を遮る遮光マスク３４の上部に構成されている。その結果、発光部２０ａの光が画素セル３２を透過し、表示部２２の正面より発光し、反射部材を介して反射した光が受光部２０ｂで受信する構成となる。この事例ではバックライトとＴＦＴ液晶とで表示部２２を構成する例を示したが、自発光素子であるＥＬでも同様の構成が実現できる。
【００３２】
次に、本発明の実施の形態３の動作について、図６を参照して説明する。図６は、本発明の実施の形態３の動作例を示す模式図である。
【００３３】
図６（ａ）は、図５（ａ）と同様には携帯端末機１０の表示部を正面から見た場合の表示部の図であり、何らかの反射部材６２６が、表示部２２の一部を覆っている遮光状況を示す例である。ここで、反射部材６２６は筐体の一部、指等の人体、泥等の汚れ、特定の形に切り抜かれた表示部２２へ置く為のカードといったものを想定している。
【００３４】
図６（ｂ）は、図６（ａ）に対応するもので、反射部材６２６が表示部２２の一部を覆っている場合の受光状況を具体的に示し、本図では、上から３行、左から７列の合計２１個の受光部が光を受け、受光信号を制御部２４に送信する状況を示している。
【００３５】
以上を前提に、実施の形態３に係る携帯端末機１０の動作を説明する。最初表示部２２は図６（ｃ）に示す状態にある。図６（ｃ）は、図６（ａ）の様な遮光状況になる前の表示例を示す。次に、図６（ｄ）は、図６（ａ）と同様な遮光状況になり、かつ、図６（ｂ）により受光信号を制御部２４に送信する前の表示部２２の表示例を示す。さらに動作が進み、図６（ｅ）は、図６（ｂ）により受光信号を制御部２４に送信し、制御部２４は受光信号を受信した結果、上から３行、左から７列の２１個の受光部が配置されたところに表示をしても、表示を見せることができないと判定し、該当部分を表示しない様にした結果の表示例を示す。すなわち、図６（ｃ）ないし（ｄ）では上部に表示されていた時刻情報などの内容が、中間部にシフトして表示された状態を示している。次の図６（ｆ）は、図６（ｅ）の状態より動作が進行し、反射部材６２６が表示部２２の一部を覆わなくなった状態を示す。このようになると、図６（ｂ）で示した、上から３行、左から７列の２１個の受光部が光を受けなくなり、受光信号を制御部２４に送信するのを停止することで、制御部２４は受光信号を受信しなくなった結果、上から３行、左から７列の２１個の受光部が配置されたところも表示可能となり、図６（ｃ）へ表示を戻すことも、制御部２４の制御条件を対応させることにより、可能である。
【００３６】
なお、図６（ｅ）では該当部分を表示しない様にした結果の表示例を示したが、該当部分を表示しない以外に、表示部２２から反射部材６２６を取り除く為に、音や振動で報知する、スクリーンセーバを起動する、といった図６（ｃ）の表示から別なアプリケーションを起動し、アプリケーションに従って表示を更新する、もしくは図６（ｃ）の表示を保持ことも可能である。また、図６（ｅ）で制御部２４は受光信号を受信した結果、表示を見せることができないと判定せず、受光信号を受信した個数による多数決判定による方法、受光信号を受信した場所によるパターン認識による方法により、該当部分を表示しない、表示部２２から反射部材２６を取り除く為に、音や振動で報知する、スクリーンセーバを起動する、といった事前に用意された複数のアプリケーションを受信した個数、受信した場所により起動するアプリケーションを都度変更することも可能である。
【産業上の利用可能性】
【００３７】
本発明にかかる携帯端末機は、複数の受光部を有することでユーザが誤って覆ってしまうことにより、表示部などの電源を切断し、表示が見えなくなることを防止することができるうえ、発光部を有した表示部と対をなすことで、新たな発光部が不要となり、複数化に伴う実装面積と消費電流の増加を抑制することができ、携帯端末機の小型化等の用途に有用である。
【図面の簡単な説明】
【００３８】
【図１】本発明の実施の形態１における携帯端末機の構成図
【図２】本発明の実施の形態１の動作を示す流れ図
【図３】本発明の実施の形態２における携帯端末機の構成図
【図４】本発明の実施の形態２の動作を示す流れ図
【図５】本発明の実施の形態３における表示部の構成図
【図６】本発明の実施の形態３の動作例
【図７】従来の特許文献１に示す携帯端末機の構成図
【図８】従来の特許文献２に示す携帯端末機の構成図
【符号の説明】
【００３９】
１０  携帯端末機
１２  ひんじ部
１４  第１筐体
１６  第２筐体
２０  反射型センサ
２０ａ  発光部
２０ｂ  受光部
２２  表示部
２２ａ  バックライト
２４  制御部
２６  反射部材
３２  画素セル
３４  遮光マスク
【図１】
2006211019.tif 000003
【図２】
2006211019.tif 000004
【図３】
2006211019.tif 000005
【図４】
2006211019.tif 000006
【図５】
2006211019.tif 000007
【図６】
2006211019.tif 000008
【図７】
2006211019.tif 000009
【図８】
2006211019.tif 000010